(57)【要約】【課題】車輛の走行中に複数の広告媒体を切換え表示させることができると共に、広告シートの撓みを防止して良好な展張状態を得ることができる広告装置を備えた車輛を提供する。【解決手段】車輛１０の基礎車台１上に基礎フレーム２を固設し、基礎フレーム２の左右上下の外側にシート支持材３を設け、これらシート支持材３の外側に広告媒体を表示した広告シート４を張設した広告装置を備えた車輛であって、前記広告シート４が無端環状シートからなり、前記シート支持材３の両端に一対の無端循環巻掛け伝動装置５，５を設けると共に、前記広告シート４の端部と前記無端循環巻掛け伝動装置５に交互に引っ掛けて紐状弾性体６を設け、前記広告シート４を一対の無端循環巻掛け伝動装置５，５の間に張設し、前記無端循環巻掛け伝動装置５を正逆回転させて異なる広告媒体を切換え表示可能にした。【選択図】          図１
2004302089.tif 000002
【特許請求の範囲】
【請求項１】
車輛の基礎車台上に基礎フレームを固設し、基礎フレームの左右上下の外側にシート支持材を設け、これらシート支持材の外側に広告媒体を表示した広告シートを張設した広告装置を備えた車輛であって、前記広告シートが無端環状シートからなり、前記シート支持材の両端に一対の無端循環巻掛け伝動装置を設けると共に、前記広告シートの端部と前記無端循環巻掛け伝動装置に交互に引っ掛けて紐状弾性体を設け、前記広告シートを一対の無端循環巻掛け伝動装置の間に張設し、前記無端循環巻掛け伝動装置を正逆回転させて異なる広告媒体を切換え表示可能にした広告装置を備えた車輛。
【請求項２】
前記無端循環巻掛け伝動装置をガイドするガイド部材を設けた請求項１に記載の広告装置を備えた車輛。
【請求項３】
前記無端循環巻掛け伝動装置が無端チェーンとスプロケットからなる請求項１又は２に記載の広告装置を備えた車輛。
【請求項４】
基礎フレームの上側又は／及び下側に撓み止め弾圧ローラを設け、前記広告シート及び無端循環巻掛け伝動装置を弾圧するようにした請求項１乃至３のいずれかに記載の広告装置を備えた車輛。
【請求項５】
前記基礎フレームに両端同調用回転シャフトを設け、該両端同調用回転シャフトの長手方向中央位置に正逆回転駆動モーターを設け、この正逆回転駆動モーターの回転力を無端ベルト又は無端チェーンを介して前記両端同調用回転シャフトに伝達し、前記両端同調用回転シャフトの両端といずれか１つのシート支持材の両端の間を無端ベルト又は無端チェーンを介して回転力を伝達し、前記無端循環巻掛け伝動装置を正逆回転させるようにした請求項１乃至４のいずれかに記載の広告装置を備えた車輛。
【請求項６】
前記基礎フレームの左右側面に光源を設けた請求項１乃至５のいずれかに記載の広告装置を備えた車輛。
【発明の詳細な説明】
【０００１】
【発明の属する技術分野】
本発明は、広告媒体を表示した広告シートを張設し、無端循環巻掛け伝動装置を正逆回転させて異なる広告媒体を切換え表示可能にした広告装置を備えた車輛に関する。
【０００２】
【従来の技術】
従来、車体の壁体に枠を設け、広告媒体を表示した広告シートの縁を枠に固定して広告シートを展張した広告装置を備えた車輛や、車輛の基礎車台上に基礎フレームを固設し、基礎フレームの左右上下の外側にシート支持材を設け、これらシート支持材の外側に広告媒体を表示した広告シートを張設した広告装置を備えた車輛は、知られている（例えば、特許文献１、特許文献２参照）。
【０００３】
【特許文献１】
特開２００１−２８７６００号公報
【特許文献２】
特開２００２−１２７８０８号公報
【０００４】
【発明が解決しようとする課題】
しかし、特許文献１や特許文献２に記載の広告装置を備えた車輛では、広告シートの展張状態を固定し、ただ１つの広告媒体を表示して広告しているだけである。そのため、車輛の走行中に異なる広告媒体を切換え表示することはできず、異なる広告媒体を表示するには、別の広告シートを用意して広告シートを取り換えて張設する必要があり、煩雑でコスト高になるという課題があった。
一方、従来例のように車体表面に設けた大きい表示面積を有する広告装置は、広告シートが撓んで皺が生じやすく、この広告シートを駆動して広告媒体を切換え表示することは困難であった。
【０００５】
そこで、本発明は、車輛の走行中に複数の広告媒体を切換え表示させることができると共に、広告シートの撓みを防止して良好な展張状態を得ることができる広告装置を備えた車輛を提供するものである。
【０００６】
【課題を解決するための手段】
本発明は、上記課題を解決するために、車輛の基礎車台上に基礎フレームを固設し、基礎フレームの左右上下の外側にシート支持材を設け、これらシート支持材の外側に広告媒体を表示した広告シートを張設した広告装置を備えた車輛であって、前記広告シートが無端環状シートからなり、前記シート支持材の両端に一対の無端循環巻掛け伝動装置を設けると共に、前記広告シートの端部と前記無端循環巻掛け伝動装置に交互に引っ掛けて紐状弾性体を設け、前記広告シートを一対の無端循環巻掛け伝動装置の間に張設し、前記無端循環巻掛け伝動装置を正逆回転させて異なる広告媒体を切換え表示可能にした広告装置を備えた車輛を提供するものである。
本発明によれば、無端環状の広告シートに複数の広告媒体を表示して、車輛の走行中に無端循環巻掛け伝動装置を回転させて異なる広告媒体を切換え表示することができる。また、シート支持材によって広告シートを上下左右方向に張設してあると共に、紐状弾性体によって前後方向に弾性力を付与して広告シートを一対の無端循環巻掛け伝動装置の間に張設してあるから、広告シートの撓みを防止して、広告シートの良好な展張状態を得ることができる。
【０００７】
また、本発明は、前記無端循環巻掛け伝動装置をガイドするガイド部材を設けた請求項１に記載の広告装置を備えた車輛を提供するものである。
本発明によれば、無端循環巻掛け伝動装置はガイド部材に沿って回転するから、無端循環巻掛け伝動装置が紐状弾性体の弾性力によって広告シート側に歪むことを防止することができる。
【０００８】
また、本発明は、前記無端循環巻掛け伝動装置が無端チェーンとスプロケットからなる請求項１又は２に記載の広告装置を備えた車輛を提供するものである。
本発明によれば、無端チェーンとスプロケットの間に滑りを生じることなく伝動することができるから、偏ることなく均等に広告シートを回転させることができる。
【０００９】
また、本発明は、基礎フレームの上側又は／及び下側に撓み止め弾圧ローラを設け、前記広告シート及び無端循環巻掛け伝動装置を弾圧するようにした請求項１乃至３のいずれかに記載の広告装置を備えた車輛を提供するものである。
本発明によれば、撓み止め弾圧ローラによって広告シート及び無端循環巻掛け伝動装置に弾圧力を付与するから、広告シート及び無端循環巻掛け伝動装置の回転方向の撓みを防止することができる。
【００１０】
また、本発明は、前記基礎フレームに両端同調用回転シャフトを設け、該両端同調用回転シャフトの長手方向中央位置に正逆回転駆動モーターを設け、この正逆回転駆動モーターの回転力を無端ベルト又は無端チェーンを介して前記両端同調用回転シャフトに伝達し、前記両端同調用回転シャフトの両端といずれか１つのシート支持材の両端の間を無端ベルト又は無端チェーンを介して回転力を伝達し、前記無端循環巻掛け伝動装置を正逆回転させるようにした請求項１乃至４のいずれかに記載の広告装置を備えた車輛を提供するものである。
本発明によれば、両端同調用回転シャフトによってシート支持材の両端を同調して回転させることができるから、偏りを生じることなく均等に広告シートを回転させることができる。また、いずれか１つのシート支持材を回転させることにより一対の無端循環巻掛け伝動装置を介して他のシート支持材を回転させることができる。
【００１１】
また、本発明は、前記基礎フレームの左右側面に光源を設けた請求項１乃至５のいずれかに記載の広告装置を備えた車輛を提供するものである。
本発明によれば、夜間に車輛を走行させた場合においても、広告シートに表示した広告媒体を視認することができ、昼間と同様に広告装置を備えた車輛の広告機能を十分に発揮させることができる。
【００１２】
【発明の実施の形態】
本発明の実施の形態を図示する実施例に基づいて説明する。
本発明に係る広告装置を備えた車輛は、車輛１０の基礎車台１上に基礎フレーム２を固設し、基礎フレーム２の左右上下の外側にシート支持材３を設け、これらシート支持材３の外側に広告媒体を表示した広告シート４を張設した広告装置を備えた車輛であって、前記広告シート４が無端環状シートからなり、前記シート支持材３の両端に一対の無端循環巻掛け伝動装置５，５を設けると共に、前記広告シート４の端部と前記無端循環巻掛け伝動装置５に交互に引っ掛けて紐状弾性体６を設け、前記広告シート４を一対の無端循環巻掛け伝動装置５，５の間に張設し、前記無端循環巻掛け伝動装置５を正逆回転させて異なる広告媒体を切換え表示可能に構成してある。
【００１３】
図示の実施例において、車輛１０はトラックである。
図１乃至図４に示すように、基礎フレーム２は、角パイプを連結した略正方形状の前部フレーム１２及び後部フレーム１３と、横長長方形状の左右フレーム１４とからなり、これら前部フレーム１２、後部フレーム１３並びに左右フレーム１４を連結して基礎フレーム２を構成してある。この基礎フレーム２を、トラックの運転席１１の後方に設けたシャーシー、シャーシーフレーム等の基礎車台１上に固設してある。そして左右フレーム１４にはこのフレーム内を４等分に区分するための３本の区分用角パイプ１５を等間隔に固定してある。
【００１４】
基礎フレーム２の前部フレーム１２の外側には、角パイプを連結して略正方形状となる前部外フレーム１６を該基礎フレーム２の前部フレーム１２と同一面上に設けてある。また、基礎フレーム２の後部フレーム１３の僅か後方外側には、同じく角パイプを連結して略正方形状となる後部外フレーム１７を設けてあり、この後部外フレーム１７は複数の短い角パイプからなる連結パイプ１８によって基礎フレーム２の後部フレーム１３に固定されている。
【００１５】
図２乃至図５に示すように、前部外フレーム１６と後部外フレーム１７のそれぞれ四隅には、軸受部材１９を固設してあり、該軸受部材１９にシート支持材３を軸支して、前部外フレーム１６と後部外フレーム１７の間に４本のシート支持材３を回転自在に設けてある。
シート支持材３は円筒形状をなしている。また、シート支持材３の両端部には、スプロケット２０を固設してあり、４本のシート支持材３の外側に無端チェーン２０を巻掛けてある。無端循環巻掛け伝動装置５は、これらのスプロケット２０と無端チェーン２１とから構成され、４本のシート支持材３を同調して正逆回転させることができるようにしてある。
【００１６】
無端循環巻掛け伝動装置５の駆動装置は、図２乃至図４に示すように、基礎フレーム２に設けた両端同調用回転シャフト２４と、該両端同調用回転シャフト２４の長手方向中央位置に設けた正逆回転駆動モーター２５とからなる。この正逆回転駆動モーター２５の出力軸と両端同調用回転シャフト２４との間には、無端チェーン２２を架設してあり、これによって正逆回転駆動モーター２５の回転力を両端同調用回転シャフト２４に伝達するようにしてある。また、両端同調用回転シャフト２４の両端と図４において左下のシート支持材３の両端との間には、それぞれ無端チェーン２３を架設してあり、これによって回転力を該シート支持材３に伝達するようにしてある。そして、他のシート支持材３は、無端循環巻掛け伝動装置５を介してこのシート支持材３と同調して回転することができる。
なお、駆動装置は、無端チェーン２２，２３に限られず、無端ベルトを介して回転力を伝達することもできる。
【００１７】
図示の実施例において、広告シート４は、ポリエステル等の合成繊維に両側から軟質塩化ビニル樹脂等の合成樹脂フィルムを貼り合わせたターポリンシートからなり、４本のシート支持材３によって回転可能に張設してある。広告シート４には、上下、左右のそれぞれ向かい合う面に同じ広告媒体を印刷してあり、隣り合う面に異なる広告媒体を印刷してある。従って、広告シート４を１／４回転ずつ正逆回転させることにより、車輛１０の側面に異なる広告媒体を切換えて表示することができる。各広告媒体が確実に車輛１０の側面に位置付くように、両端同調用回転シャフト２４に位置決めクラッチを設けてある。なお、広告シート４はターポリンシートに限られず、合成樹脂製フィルム、布等の薄い膜状のものを使用することができる。
【００１８】
図５に示すように、広告シート４の両開口端部には、一定の間隔で鳩目孔２６を設けてあると共に、これらの鳩目孔２６には紐状弾性体６を挿通してある。一方、無端チェーン２１には、掛け孔２８を有する複数のブラケット２７を設けてあり、各鳩目孔２６間において掛け具２９によって紐状弾性体６を掛け孔２８に引っ掛けてある。このように、広告シート４の端部と無端チェーン２１に紐状弾性体６を交互に引っ掛けることにより、均等に弾性力を付与して広告シート４を一対の無端循環巻掛け伝動装置の間に張設することができる。
図示の実施例において、紐状弾性体６はゴム、合成樹脂等のテンションロープであるが、これに限定されるものでなく弾力性を有する紐や綱等を使用することもできる。
【００１９】
図２及び図３において、７は、無端循環巻掛け伝動装置５の無端チェーン２１をガイドするガイド部材であり、前部外フレーム１６及び後部外フレーム１７に設けてある。ガイド部材７は断面Ｌ字状をなし、無端チェーン２１が紐状弾性体６の弾性力によって広告シート４側に曲がらないようにガイドしてある。
【００２０】
図４において、８は撓み止め弾圧ローラであり、基礎フレームの上側及び下側に設けて、広告シート４及び無端循環巻掛け伝動装置５の無端チェーン２１を弾圧することができるように構成してある。撓み止め弾圧ローラ８は、軸受部材３０によって回転自在に軸支され、該軸受部材３０にバネ弾力を付与して広告シート４及び無端チェーン２１を下側から突き上げて、広告シート４の回転方向の撓みを防止することができるように構成してある。
【００２１】
図４において、９は、ネオン管、蛍光灯等の光源であり、基礎フレーム２の左右側面の左右フレーム１４に配列して設けて、内照式にして広告媒体を明るく表示し、夜間の広告もできるようにしてある。また、左右フレーム１４には、光源９の光を反射する光反射板を貼り付けてある。この光反射板はアルミニウム白板が好ましいが、光を反射する板状のものであればよい。
【００２２】
【発明の効果】
以上の通り、本発明に係る広告装置を備えた車輛によれば、車輛の基礎車台上に基礎フレームを固設し、基礎フレームの左右上下の外側にシート支持材を設け、これらシート支持材の外側に広告媒体を表示した広告シートを張設した広告装置を備えた車輛であって、前記広告シートが無端環状シートからなり、前記シート支持材の両端に一対の無端循環巻掛け伝動装置を設けると共に、前記広告シートの端部と前記無端循環巻掛け伝動装置に交互に引っ掛けて紐状弾性体を設け、前記広告シートを一対の無端循環巻掛け伝動装置の間に張設し、前記無端循環巻掛け伝動装置を正逆回転させて異なる広告媒体を切換え表示可能にした構成を有することにより、無端環状の広告シートに複数の広告媒体を表示して、車輛の走行中に無端循環巻掛け伝動装置を回転させて異なる広告媒体を切換え表示することができる。また、シート支持材によって広告シートを上下左右方向に張設してあると共に、紐状弾性体によって前後方向に弾性力を付与して広告シートを一対の無端循環巻掛け伝動装置の間に張設してあるから、広告シートの撓みを防止して、広告シートの良好な展張状態を得られる効果がある。
【００２３】
また、本発明は、前記無端循環巻掛け伝動装置をガイドするガイド部材を設けた請求項１に記載の構成を有することにより、無端循環巻掛け伝動装置はガイド部材に沿って回転するから、無端循環巻掛け伝動装置が紐状弾性体の弾性力によって広告シート側に歪むことを防止することができる効果がある。
【００２４】
また、本発明は、前記無端循環巻掛け伝動装置が無端チェーンとスプロケットからなる請求項１又は２に記載の構成を有することにより、無端チェーンとスプロケットの間に滑りを生じることなく伝動することができるから、偏ることなく均等に広告シートを回転させることができる効果がある。
【００２５】
また、本発明は、基礎フレームの上側又は／及び下側に撓み止め弾圧ローラを設け、前記広告シート及び無端循環巻掛け伝動装置を弾圧するようにした請求項１乃至３のいずれかに記載の構成を有することにより、撓み止め弾圧ローラによって広告シート及び無端循環巻掛け伝動装置に弾圧力を付与するから、広告シート及び無端循環巻掛け伝動装置の回転方向の撓みを防止することができる効果がある。
【００２６】
また、本発明は、前記基礎フレームに両端同調用回転シャフトを設け、該両端同調用回転シャフトの長手方向中央位置に正逆回転駆動モーターを設け、この正逆回転駆動モーターの回転力を無端ベルト又は無端チェーンを介して前記両端同調用回転シャフトに伝達し、前記両端同調用回転シャフトの両端といずれか１つのシート支持材の両端の間を無端ベルト又は無端チェーンを介して回転力を伝達し、前記無端循環巻掛け伝動装置を正逆回転させるようにした請求項１乃至４のいずれかに記載の構成を有することにより、両端同調用回転シャフトによってシート支持材の両端を同調して回転させることができるから、偏りを生じることなく均等に広告シートを回転させることができる。また、いずれか１つのシート支持材を回転させることにより一対の無端循環巻掛け伝動装置を介して他のシート支持材を回転させることができる効果がある。
【００２７】
また、本発明は、前記基礎フレームの左右側面に光源を設けた請求項１乃至５のいずれかに記載の構成を有することにより、夜間に車輛を走行させた場合においても、広告シートに表示した広告媒体を視認することができ、昼間と同様に広告装置を備えた車輛の広告機能を十分に発揮させることができる効果がある。
【図面の簡単な説明】
【図１】本発明広告装置を備えた車輛の一実施例を示す右側面図
【図２】その一実施例の要部を示す右側面図
【図３】その一実施例の要部を示す右側面拡大図
【図４】その一実施例を示す背面図
【図５】その一実施例の他の要部を示す拡大図
【符号の説明】
１  基礎車台
２  基礎フレーム
３  シート支持材
４  広告シート
５  無端循環巻掛け伝動装置
６  紐状弾性体
７  ガイド部材
８  撓み止め弾圧ローラ
９  光源
１０  車輛
１１  運転席
１２  前部フレーム
１３  後部フレーム
１４  左右フレーム
１５  区分用角パイプ
１６  前部外フレーム
１７  後部外フレーム
１８  連結パイプ
１９  軸受部材
２０  スプロケット
２１，２２，２３  無端チェーン
２４  両端同調用回転シャフト
２５  正逆回転駆動モーター
２６  鳩目孔
２７  ブラケット
２８  掛け孔
２９  掛け具
３０  軸受部材
【図１】
2004302089.tif 000003
【図２】
2004302089.tif 000004
【図３】
2004302089.tif 000005
【図４】
2004302089.tif 000006
【図５】
2004302089.tif 000007